(57)【特許請求の範囲】
【請求項１】
チーム単位でチームに所属する競技者の競技者登録データを更新する競技者登録データの管理システムであって、
競技者についての顔写真および所属チームのデータを含む競技者登録データが記憶された記憶手段と、
更新対象のチームに登録する競技者の集合写真データを入力するための入力手段と、
前記入力手段から入力された集合写真データに含まれる各競技者の顔写真データと、前記記憶手段に記憶された各競技者の顔写真データとを照合することにより、集合写真データに含まれる各競技者の候補者情報を記憶手段から取得する情報取得手段と、
前記情報取得手段で取得した候補者情報に基づいて、集合写真データに含まれる競技者毎に、更新登録すべき競技者登録データをもつ候補者の選択肢を表示する表示手段とを備えていることを特徴とする競技者登録データの管理システム。
【請求項２】
前記表示手段における候補者の選択肢の初期表示において、最も確度の高い候補者の選択肢が仮選択されていることを特徴とする請求項１に記載の競技者登録データの管理システム。
【請求項３】
前記記憶手段は、集合写真データに含まれる競技者の顔写真データを、競技者登録データの顔写真データとして記憶することを特徴とする請求項１又は２に記載の競技者登録データの管理システム。
【請求項４】
前記入力手段と前記表示手段とを有する端末装置と、前記記憶手段と前記情報取得手段とを有するサーバ装置とを備え、
前記端末装置と前記サーバ装置とがネットワークを介して通信可能に接続されていることを特徴とする請求項１〜３のいずれか１項に記載の競技者登録データの管理システム。
【発明の詳細な説明】
【技術分野】
【０００１】
本発明は、競技者の競技者登録データを管理するための技術に関する。
【背景技術】
【０００２】
バスケットボール大会・野球大会・サッカー大会など、種々のスポーツの競技大会が数多く開催されており、近年の健康ブームも相俟って、プロスポーツ選手以外にも、アマチュア（いわゆる一般市民など）を含む多くの選手が参加している。
【０００３】
この種の競技大会では、近年のコンピュータやインターネットの普及に伴って電子化が推進されており、申込手続を紙に記入する形式に代えて、インターネットを通じて行うことが可能な場合が多くなっている（例えば、特許文献１）。
【先行技術文献】
【特許文献】
【０００４】
【特許文献１】特開２００２−８３０８９号公報
【発明の概要】
【発明が解決しようとする課題】
【０００５】
ところで、上記の申込手続において、同時又は事前に、選手などの競技者に対して競技者登録手続が要求される場合が多くなっているのが実情である。これは、競技者登録された競技者に対して固有のＩＤ番号を付して、それ以後、このＩＤ番号に基づいて各競技者の情報（氏名・年齢・所属チームなど）をコンピュータで管理するためである。このような競技者登録手続で作成される競技者登録データは、上記のＩＤ番号の他に、競技者の氏名・年齢・所属チームなどが含まれる。また、誤登録や競技大会時の本人確認用として、競技者登録データには、競技者の顔写真データが含まれる場合も多い。
【０００６】
登録された競技者登録データは、チーム単位で、所定期間（例えば１年）毎に一括して更新されるのが主流となりつつある。具体的には、競技者の代表者や代理人などの更新手続者が、チームに所属する全ての競技者について、（１）更新前から所属する競技者については継続登録をしたり、（２）他チームなどから移籍により新たに所属する競技者についてはチームへの追加登録をしたり、（３）ＩＤ番号未取得の競技者については新規登録をしたりするなどの更新手続をする。
【０００７】
しかしながら、更新手続者一人で、チームに所属する全ての競技者の更新手続を行う場合には、入力項目も膨大になり、面倒且つ煩雑な作業が強いられるという問題がある。
【０００８】
更新手続者が、各競技者についての過去の登録状態を把握していない場合には、過去に競技者登録されＩＤ番号を付されている競技者に、新たなＩＤ番号を付与してしまうことで、１人が２つ以上のＩＤ番号を持つ二重登録状態になることがある。二重登録は登録制度上望ましいものではなく、通常禁止されており、適正な本人確認を妨げる要因となる。
【０００９】
以上の実情に鑑み、本発明は、チーム単位で、チームに所属する競技者の競技者登録データを簡単且つ確実に更新し得る技術を提供することを課題とする。
【課題を解決するための手段】
【００１０】
上記課題を解決するために創案された本発明は、チーム単位でチームに所属する競技者の競技者登録データを更新する競技者登録データの管理システムであって、競技者についての顔写真および所属チームのデータを含む競技者登録データが記憶された記憶手段と、更新対象のチームに登録する競技者の集合写真データを入力するための入力手段と、前記入力手段から入力された集合写真データに含まれる各競技者の顔写真データと、前記記憶手段に記憶された各競技者の顔写真データとを照合することにより、集合写真データに含まれる各競技者の候補者情報を記憶手段から取得する情報取得手段と、前記情報取得手段で取得した候補者情報に基づいて、集合写真データに含まれる競技者毎に、更新登録すべき競技者登録データをもつ候補者の選択肢を表示する表示手段とを備えていることを特徴とする。
【００１１】
このような構成によれば、入力手段から更新対象のチームに登録する競技者の集合写真データを入力すれば、表示手段に、集合写真データに含まれる各競技者について、更新登録すべき競技者登録データをもつ候補者の選択肢が自動的に表示される。そのため、更新手続者が、表示手段に表示される選択肢から候補者を選択すれば、既に記憶されている競技者登録データを援用しながら、チームに所属する競技者の競技者登録データを効率よく更新することができる。したがって、更新手続に要する労力を大幅に軽減できる。
【００１２】
また、他チームで登録された競技者についても、その競技者がＩＤ番号を含む競技者登録データを有していれば候補者の選択肢に表示される。そのため、過去に競技者登録されＩＤ番号を付されている競技者に新たなＩＤ番号を付与してしまう間違いを防ぐことができ、二重登録も抑止できる。
【００１３】
上記の構成において、前記表示手段における候補者の選択肢の初期表示において、最も確度の高い候補者の選択肢が仮選択されていることが好ましい。
【００１４】
このようにすれば、表示手段に表示される候補者の選択作業に要する時間を短縮することができる。なお、仮選択であるため、選択されている候補者に誤りがあれば、他の候補者の選択肢を選択するなどの他の操作を行えばよい。
【００１５】
なお、候補者の確度は、例えば、候補者を判定する際に比較する顔写真データの類似度などに基づいて決定される。すなわち、顔写真データの類似度が高い場合に、候補者の確度が高くなるようにしてもよい。また、候補者が更新対象のチームに所属データを有する場合に、他チームに所属データを有する候補者よりも、候補者の確度が高くなるようにしてもよい。
【００１６】
上記の構成において、前記記憶手段が、集合写真データに含まれる競技者の顔写真データを、競技者登録データの顔写真データとして記憶するようにしてもよい。
【００１７】
このようにすれば、更新手続の際に、各競技者の競技者登録データに含まれる顔写真データも新しいものに変更することができる。そして、このような各競技者の顔写真データの登録は、入力手段から集合写真データを一度入力すれば済むため、各競技者の顔写真データを入力手段から個別に一つずつ入力する場合に比べて、大幅な労力の低減を図ることが可能となる。
【００１８】
上記の構成において、前記入力手段と前記表示手段とを有する端末装置と、前記記憶手段と前記情報取得手段とを有するサーバ装置とを備え、前記端末装置と前記サーバ装置とがネットワークを介して通信可能に接続されていることが好ましい。
【００１９】
このようにすれば、更新手続者が直接利用する入力手段や表示手段を、記憶手段及び情報取得手段から離れたところに置くことができる。そのため、例えば、更新手続者が所有するＰＣや携帯電話などの端末装置を用いて、更新手続を行うことも可能となる。したがって、更新手続を行う場所の制約がなくなるため、非常に便利である。
【発明の効果】
【００２０】
以上のように本発明によれば、チーム単位で、チームに所属する競技者の競技者登録データを簡単且つ確実に更新することができる。
【図面の簡単な説明】
【００２１】
【図１】本発明の実施形態に係る競技者登録データの管理システムの全体構成を示す図である。
【図２】図１の競技者登録データの管理システムに用いられる携帯端末装置を示す図であって、（ａ）はその表面側を、（ｂ）はその裏面側をそれぞれ示す。
【図３】携帯端末装置で撮影した更新対象チームの競技者の集合写真データの一例を示す図である。
【図４】更新時の携帯端末装置の表示画面の一例を示す図である。
【図５】更新時の携帯端末装置の表示画面の一例を示す図である。
【図６】本発明の実施形態の変形例に係る競技者登録データの管理システムを示す構成図である。
【発明を実施するための形態】
【００２２】
以下、本発明の実施形態を添付図面を参照して説明する。
【００２３】
図１に示すように、本実施形態に係る競技者登録データの管理システムは、チーム単位でチームに所属する競技者の競技者登録データを更新するシステムであって、サーバ装置１と、携帯端末装置２とが、インターネット３を介して接続された構成である。サーバ装置１及び携帯端末装置２のそれぞれは、インターネットに接続するための通信手段（図示しない）を備えている。なお、この実施形態で対象とする競技者は、選手のみで構成されるものとする。
【００２４】
携帯端末装置２は、図２（ａ），（ｂ）に示すように、表示手段としての表示画面２１と、撮像手段としてのカメラ２２とを備えている。この実施形態では、携帯端末装置２として、表示画面２１にタッチセンサを備えた市販のカメラ付き携帯電話（いわゆる、スマートフォン）を使用する。この場合、例えば、携帯端末装置２に所定のアプリをダウンロードさせるなどして、必要な操作が可能な状態にする。なお、携帯端末装置２に代えて、デスクトップ型やラップトップ型のＰＣを端末装置として用いてもよい。
【００２５】
カメラ２２は、更新対象のチームに登録する競技者の集合写真を撮影するためのものであり、集合写真データを入力するための入力手段として機能する。なお、携帯端末装置２は、他のカメラで撮影された集合写真データをインポートする機能を備えていれば、カメラ２２を備えていなくてもよい。
【００２６】
表示画面２１は、タッチセンサを備えており、表示画面２１に触れることで、表示画面２１上に表示される情報に対して種々の操作が可能となっている。なお、操作手段は、タッチセンサに限定されるものではなく、キー操作するものであってもよい。また、端末装置としてＰＣを用いる場合には、マウスやキーボードなどを用いて操作するようにしてもよい。
【００２７】
サーバ装置１は、記憶手段としての記憶部１１と、情報取得手段としての制御部１２とを備えたコンピュータである。
【００２８】
記憶部１１は、メモリ（ハードディスクを含む）などの記憶装置で構成されており、各競技者についての競技者登録データが記憶されている。ここで、競技者登録データとは、競技者登録に関するデータであって、例えば、競技者登録された競技者のＩＤ番号・氏名・生年月日・顔写真・所属チームなどの識別情報を含む。ＩＤ番号については、更新時に競技者が別のチームに移籍するなどして所属チームが変更になっても、同一の競技者については同一のＩＤ番号が継続して使用される。
【００２９】
制御部１２は、ＣＰＵで構成されており、記憶部１１と連携して、集合写真データに含まれる各競技者の候補者情報を取得する。
【００３０】
次に、以上のように構成された競技者登録データの管理システムを用いて、競技者登録データを更新する方法を説明する。
【００３１】
まず、携帯端末装置２によって、更新対象のチームを選択し、サーバ装置１にその情報を送信し、更新対象のチームを決定する。
【００３２】
次に、図３に示すように、携帯端末装置２のカメラ２２によって、更新対象のチームに登録する競技者Ａ〜Ｃの集合写真を撮影し、その集合写真データを、インターネット３を介してサーバ装置１に送信する。なお、集合写真データは、携帯端末装置２のカメラ２２で撮影されたものでなくてもよい。この場合には、別の撮像手段によって撮影された集合写真データを携帯端末装置２からサーバ装置１に送信する。図中のＡ〜Ｃの符号は、説明の便宜上付したものであり、実際の集合写真データには含まれない。
【００３３】
サーバ装置１の制御部１２は、携帯端末装置２から集合写真データが送信されてくると、集合写真データに含まれる各競技者Ａ〜Ｃの顔写真データと、記憶部１１に記憶された競技者の顔写真データとを顔認識技術を用いて照合し、集合写真データに含まれる各競技者に対応する候補者情報を記憶部１１から取得する。サーバ装置１は、制御部１２が取得した候補者情報を、インターネット３を介して携帯端末装置２に送信する。ここで、顔認識技術としては、公知の技術（例えば、顔の形・輪郭、目や鼻の位置・形などの特徴が、一致又は近似するか否かによって同一人物か否かを判定する技術）を使用することができる。
【００３４】
携帯端末装置２は、候補者情報を受信すると、候補者情報に基づいて所定の情報を表示画面２１上に表示する。
【００３５】
詳細には、図４に示すように、カメラ２２で撮影した集合写真と共に、集合写真に含まれる各競技者Ａ〜Ｃについて、更新登録すべき競技者登録データをもつ候補者の選択肢がリスト表示される。
【００３６】
この実施形態では、各競技者Ａ〜Ｃの候補者の顔写真が表示され、その顔写真と関連付けて、候補者の情報が表示される。候補者の情報としては、候補者の顔写真、ＩＤ，生年月日、過去の所属チームなどの情報が表示されるが、これらに限定されるものではなく、適宜変更できる。これにより、更新手続者に対して、候補者を識別するための情報が開示されるため、選択肢の中から正しい候補者を選択しやすくなる。なお、選択されている選択肢には、チェックボックス４にチェックが入るようになっている。この実施形態では、表示画面２１における候補者の選択肢の初期表示において、最も確度の高い候補者の選択肢のチェックボックス４に予めチェックが入り、仮選択された状態となる。
【００３７】
また、選択肢の中に、登録対象競技者と適合する候補者がいないときのために、新規入力するメニュー５、又は、更新対象のチーム内の登録競技者から選択するメニュー６が選択可能となっている。
【００３８】
新規入力メニュー５を選択すると、例えば、登録対象競技者Ａ〜Ｃの氏名とＩＤの入力が求められ、これにより、更新すべき競技者登録データを有する競技者が選択される。一方、チーム内登録競技者から選択するメニュー６を選択すると、更新対象のチームに所属する競技者の一覧の中から登録対象競技者Ａ〜Ｃに該当する者の選択が求められ、これにより、更新すべき競技者登録データを有する競技者が選択される。
【００３９】
そして、更新手続者が、各競技者Ａ〜Ｃについて、表示画面２１に表示された選択肢の中から候補者を選択した後、図示しない確定ボタンなどで選択を確定させることで、選択確定命令が生成される。携帯端末装置２は、この選択確定命令を、インターネット３を介してサーバ装置１に送信する。サーバ装置１の制御部１２は、選択確定命令が送信されてくると、選択確定命令で確定された候補者の競技者登録データを競技者Ａ〜Ｃの競技者登録データとして更新し、記憶部１１に記憶させる。これにより、更新対象のチームに継続登録する競技者や、新規登録する競技者の更新手続が完了する。
【００４０】
この際、集合写真データから取得した競技者Ａ〜Ｃの顔写真データを、各競技者Ａ〜Ｃの競技者登録データの顔写真データとして、記憶部１１に記憶させてもよい。なお、このように競技者の顔写真データを更新する場合、更新前の顔写真データも削除せずに、更新した顔写真データとともに記憶部１１に保存しておくことが好ましい。これにより顔写真データの履歴が形成される。そのため、制御部１２で顔写真データを照合する際に、複数の顔写真データに基づいて携帯端末装置２で撮影された競技者の候補者を特定することができ、競技者の特定精度が向上する。
【００４１】
また、更新対象のチームには、継続登録する競技者、新規登録する競技者の他にも、他チームへの移籍などにより退団する競技者もいる。そのため、この実施形態では、継続登録および新規登録が終わった後に、図５に示すように、前年までに更新対象のチームに所属していたが、集合写真に含まれていない競技者Ｄの顔写真が、携帯端末装置２の表示画面２１に表示される。これと共に、競技者Ｄの退団の有無を選択するメニューが表示される。そして、更新手続者が、表示画面２１上で競技者Ｄの有無を選択し、図示しない確定ボタンなどで選択を確定させると、サーバ装置１にその情報がインターネット３を介して送信される。サーバ装置１の制御部１２は、この退団に関する旨の情報が送信されてくると、その情報に基づいて競技者Ｄの競技者登録データの所属チームのデータを変更し、競技者Ｄの退団の有無を記憶部１１に記憶させる。なお、図５の状態で、複数人の競技者の顔写真が表示される場合もあるが、この場合には、各競技者について退団の有無を選択するメニューが表示される。
【００４２】
なお、競技者Ａ〜Ｃについて、競技者登録データが存在せず、ＩＤ番号未取得の場合には、携帯端末装置２の表示画面２１において、氏名・生年月日・顔写真などの所定の情報を入力することで、ＩＤ番号が付与されると共に競技者登録データが新規登録されるようにしてもよい。
【００４３】
以上のように、本実施形態に係る競技者登録データの管理システムによれば、携帯端末装置２から更新対象のチームに登録する競技者の集合写真データを入力するだけで、携帯端末装置２の表示画面２１に、集合写真データに含まれる各競技者について、登録すべき競技者登録データをもつ候補者の選択肢が自動的に表示される。そのため、既に記憶されている競技者登録データを効率的に援用しながら、チームに所属する競技者の競技者登録データを更新することができる。したがって、更新に要する労力を大幅に軽減できる。
【００４４】
また、他チームで登録された競技者についても、その競技者が、競技者登録データ、すなわちＩＤ番号を有していれば、候補者の選択肢に表示される。そのため、過去に競技者登録されＩＤ番号を付されている競技者に新たなＩＤ番号を付与してしまう間違いを防ぐことができ、二重登録を抑止できる。
【００４５】
なお、本発明は、上記実施形態に限定されるものではなく、種々の形態で実施することができる。
【００４６】
上記実施形態では、競技者が選手のみで構成される場合を説明したが、競技者は、選手と監督で構成されていてもよいし、選手と監督とコーチで構成されていてもよい。
【００４７】
また、上記の実施形態では、１つの携帯端末装置２とサーバ装置１とを、インターネット３を介して接続する場合を説明したが、図６に示すように、複数の携帯端末装置２とサーバ装置１とを、インターネット３を介して接続するようにしてもよい。このようにすれば、各チームが異なる場所で同時に更新手続を行うことが可能となる。なお、図中では、１つのサーバ装置１に複数の携帯端末装置２を、インターネット３を介して接続する場合を例示しているが、サーバ装置１を複数設けてもよい。
【符号の説明】
【００４８】
１    サーバ装置
１１  記憶部
１２  制御部
２    携帯端末装置
２１  表示画面
２２  カメラ
３    インターネット
【要約】      （修正有）【課題】チーム単位で、チームに所属する競技者の競技者登録データを簡単且つ確実に更新し得る技術を提供する。【解決手段】チーム単位でチームに所属する競技者の競技者登録データを更新する競技者登録データの管理システムである。携帯端末装置、更新対象のチームに登録する競技者の集合写真データをサーバ装置に送信する。サーバ装置は、予め記憶してある競技者の顔写真データと、集合写真データに含まれる競技者の顔写真データとを照合し、集合写真データに含まれる各競技者の候補者情報を作成し、携帯端末装置に送信する。携帯端末装置は、候補者情報に基づいて、集合写真データに含まれる競技者毎に、更新登録すべき競技者登録データをもつ候補者の選択肢を表示する。【選択図】図４【図１】
0005628393.tif 000002
【図２】
0005628393.tif 000003
【図３】
0005628393.tif 000004
【図４】
0005628393.tif 000005
【図５】
0005628393.tif 000006
【図６】
0005628393.tif 000007